(57)【要約】【課題】  アンテナが同軸ケーブルを介して接続されている受信機に、アンテナを取り付けたとき、同軸ケーブルを介さずにアンテナに自動的に受信機が接続される。【解決手段】  アンテナ２に同軸ケーブル１４を介して直接に受信機１８が接続されている。アンテナ２に雄型接栓１２が設けられ、雄型接栓１２に接続可能な雌型接栓２６が受信機１８に設けられている。アンテナ２内に設けられた切換スイッチ８が、接栓１２、２６の非接続状態において、アンテナ２を同軸ケーブル１４に接続し、接栓１２、２６の接続状態においてアンテナ４を雄型接栓１２に接続する。受信機１８に設けられた切換スイッチ２４が、前記非接続状態において受信機１８を同軸ケーブル１４に接続し、前記接続状態において受信機１８を雌型接栓２６に接続する。【選択図】        図１
2005192121.tif 000002
【特許請求の範囲】
【請求項１】
アンテナと、
このアンテナに伝送線路を介して直接に接続されている受信手段と、
前記アンテナに設けられた第１のコネクタと、
前記受信手段に設けられ、第１のコネクタと接続可能な第２のコネクタと、
前記アンテナ内に設けられ、第１及び第２のコネクタの非接続状態において、前記アンテナを前記伝送線路に接続し、第１及び第２のコネクタの接続状態において、前記アンテナを第１のコネクタに接続する第１切換手段と、
前記受信手段に設けられ、前記非接続状態において、前記受信手段を前記伝送線路に接続し、前記接続状態において、前記受信手段を第２のコネクタに接続する第２切換手段とを、
具備する受信システム。
【請求項２】
請求項１記載の受信システムにおいて、前記伝送線路は、前記アンテナを所望の電波を受信可能な位置に配置した状態で、前記受信手段を前記電波を受信不能な位置に配置可能な長さに選択されている受信システム。
【請求項３】
請求項１記載の受信システムにおいて、前記受信手段は、電源部を有し、この電源部は、第２切換手段と第１及び第２のコネクタとを介して、または第２切換手段と前記伝送線路とを介して、第１切換手段に電流を供給可能であり、第１切換手段は、前記伝送線路と第１のコネクタとのうち電流が供給されている側に前記アンテナを接続する電気的切換手段であり、第２切換手段は、第１及び第２のコネクタの接続状態及び非接続状態に応じて機械的に切換動作する機械的切換手段である受信システム。
【請求項４】
受信手段と、
この受信手段に伝送線路を介して直接に接続され、かつ前記受信手段に着脱自在に設けられているアンテナと、
前記アンテナに設けられた第１のコネクタと、
前記受信手段に設けられ、前記アンテナが前記受信手段に装着状態において第１のコネクタと接続する第２のコネクタと、
前記アンテナ内に設けられ、前記アンテナが前記受信手段に非装着状態において前記アンテナを前記伝送線路に接続し、前記装着状態において前記アンテナを第１のコネクタに接続する第１切換手段と、
前記受信手段に設けられ、前記非装着状態において、前記受信手段を前記伝送線路に接続し、前記装着状態において、前記受信手段を第２のコネクタに接続する第２切換手段とを、
具備する受信システム。
【請求項５】
請求項４記載の受信システムにおいて、前記受信手段は、電源部を有し、この電源部は、第２切換手段と第１及び第２のコネクタとを介して、または第２切換手段と前記伝送線路とを介して、第１切換手段に電流を供給可能であり、第１切換手段は、前記伝送線路と第１のコネクタとのうち電流が供給されている側に前記アンテナを接続する電気的切換手段であり、第２切換手段は、前記装着状態及び非装着状態に応じて機械的に切換動作する機械的切換手段である受信システム。
【請求項６】
請求項４記載の受信システムにおいて、第１及び第２の切換手段は、前記装着状態及び非装着状態に応じて機械的に切換操作する機械的切換手段である受信システム。
【発明の詳細な説明】
【技術分野】
【０００１】
本発明は、アンテナと受信手段とからなる受信システムに関し、特に、アンテナと受信手段とが直接に接続されているものに関する。
【背景技術】
【０００２】
近年、衛星を利用したデジタルラジオ放送がアメリカで実用化された。このデジタルラジオ放送では、衛星から電波を送信するとともに、衛星からの電波の届きにくい場所向けにビルの屋上等に再送信装置を設けている。このデジタルラジオ放送用の受信システムとして、例えば非特許文献１に開示されているものがある。
【０００３】
この技術では、受信手段、例えば携帯型の受信機と、この受信機とは別個に設けられたアンテナとが、準備されている。アンテナには伝送線路、例えば長い同軸ケーブルの一端が直接に接続され、その他端には雄型接栓が接続され、この雄型接栓が受信機の背面のアンテナ用雌型接栓に接続される。この技術では、受信機を電波が到来しにくい屋内の場所に配置する場合、電波が到来しやすい窓際にアンテナを配置する。この配置を可能にするために、同軸ケーブルには長いものが使用されている。
【０００４】
【非特許文献１】http://delphi.com/pdf/consumer/SKYFi_installation_guide.pdf
【発明の開示】
【発明が解決しようとする課題】
【０００５】
この技術は、アンテナを受信機から離して使用する場合には有用である。しかし、例えば受信機を屋外に配置して使用する場合、アンテナと受信機とを離して使用する必要が無く、アンテナを受信機に取り付けて使用することがある。アンテナが受信機に取り付けられているにも拘わらず、長い同軸ケーブルを介してアンテナから受信機に信号が伝送されており、この伝送中に信号が減衰される。例えば電波として２．３ＧＨｚ帯の電波を使用し、同軸ケーブルとして７ｍの１．５Ｄの同軸ケーブルを使用すると、約１０ｄＢの損失が伝送中に生じる。この損失が生じないようにするためには、例えば受信機のアンテナ用雌型接栓に接続可能な雄型接栓をアンテナに設け、この雄型接栓と接続可能な雌型接栓を同軸ケーブルの一端に設け、アンテナを受信機に取り付けて使用する場合には、アンテナの雄型接栓を受信機のアンテナ用雌型接栓に直接に接続することも考えられる。しかし、このように構成すると、アンテナを受信機に取り付ける際に、アンテナと同軸ケーブルとの接続を外すか、または雄型接栓を設けた同軸ケーブルと受信機との接続を外し、アンテナの雄型接栓を受信機のアンテナ用雌型接栓に直接に接続するという作業が必要になり、作業性が悪くなる。
【０００６】
本発明は、アンテナと受信手段とが伝送線路によって直接に接続されている受信システムにおいて、アンテナを受信手段に取り付けたとき、伝送線路を介さずにアンテナと受信手段とが自動的にかつ直接に接続される受信システムを提供することを目的とする。
【課題を解決するための手段】
【０００７】
本発明の一態様による受信システムは、アンテナを有している。このアンテナは、例えば所定の軌道上に打ち上げられた衛星から送信されるデジタルラジオ放送電波または、地上に設けられた再送信局から送信されている同一内容及び同一周波数の電波を受信する。この送信周波数としては、電波が直進性を顕著に示す周波数、例えばＧＨｚ帯の電波が使用される。アンテナは、増幅手段、例えばローノイズアンプを内蔵するものとすることもできるし、複数のアンテナのうち受信レベルが最も大きいアンテナの受信信号を出力するアンテナダイバシティ装置とすることもできる。このアンテナに伝送線路を介して直接に受信手段が接続されている。この伝送線路としては、例えば同軸ケーブルを使用することができる。この受信手段は、少なくとも受信した信号を復調して可聴周波数信号を生成する。この可聴周波数信号を自前で拡声することができるように可聴周波数増幅器とスピーカとを備えたものとすることもできるし、他のオーディオシステムに復調した可聴周波数信号を出力するものとすることもできる。前記アンテナに第１のコネクタが設けられている。第１のコネクタとしては、雄型接栓を使用することもできるし、雌型接栓を使用することもできる。前記受信手段に第１のコネクタと接続可能な第２のコネクタが設けられている。第１のコネクタが雄型接栓の場合、第２のコネクタは、雌型接栓であり、第１のコネクタが雌型接栓の場合、第２のコネクタは雄型接栓である。前記アンテナ内に第１の切換手段が設けられている。第１の切換手段は、第１及び第２のコネクタの非接続状態において、前記アンテナを前記伝送線路に接続し、第１及び第２のコネクタの接続状態において、前記アンテナを第１のコネクタに接続する。前記受信手段に第２切換手段が設けられている。第２切換手段は、前記非接続状態において、前記受信手段を前記伝送線路に接続し、前記接続状態において、前記受信手段を第２のコネクタに接続する。
【０００８】
このように構成した受信システムでは、アンテナと受信手段とを離して使用している状態では、第１及び第２のコネクタは非接続状態であり、アンテナで受信された信号は、第１の切換手段、伝送線路及び第２の切換手段を介して受信手段に供給される。一方、アンテナを受信手段と接近してまたは受信手段に取り付けて使用する状態では、第１及び第２のコネクタが接続状態であり、アンテナで受信された信号は、第１の切換手段、第１のコネクタ、第２のコネクタ及び第２の切換手段を介して受信手段に供給される。従って、一々、伝送線路をアンテナから外す必要が無く、第１及び第２のコネクタを接続するという作業のみで、アンテナでの受信信号を受信手段に自動的に供給することができる。
【０００９】
伝送線路は、前記アンテナを所望の電波を受信可能な位置に配置した状態で、受信手段を前記電波を受信不能な位置に配置可能な長さに選択したものとすることができる。この場合、受信手段とアンテナとを離して使用することができるが、伝送線路で受信信号の減衰が生じる。しかし、第１及び第２のコネクタを接続してアンテナからの受信信号を受信手段に供給する場合には、伝送線路を介して受信信号は伝送されてないので、伝送線路による減衰は生じず、良好に受信手段において電波を受信することが可能となる。
【００１０】
受信手段は、電源部を有するものにできる。この電源部は、第２切換手段と第１及び第２のコネクタとを介して、または第２切換手段と前記伝送線路とを介して、第１切換手段に電流を供給可能である。また、この電源部はアンテナに内蔵された増幅手段に動作電流を供給することも可能である。第１切換手段は、前記伝送線路と第１のコネクタとのうち電流が供給されている側に前記アンテナを接続する電気的切換手段である。例えば第１切換手段は、半導体スイッチング素子によって構成することもできるし、リレー回路によって構成することもできる。第１切換手段は、例えば伝送線路に電流が供給されているとき、伝送線路側にアンテナを接続し、第１のコネクタに電流が供給されているとき、アンテナを第１のコネクタに接続する制御手段を有することができる。第２切換手段は、第１及び第２のコネクタの接続状態及び非接続状態に応じて機械的に切換動作する機械的切換手段である。例えば第２切換手段は同軸リレーによって構成することもできる。
【００１１】
このように構成すると、第１の切換手段の切換を電気的に行えるので、機械的に第１の切換手段を切り換える場合よりも構成を簡略化することができる。
【００１２】
本発明による受信システムの他の態様は、受信手段を有している。この受信手段は、上記の態様の受信手段と同様なものである。この受信手段に伝送線路を介して直接に接続されたアンテナが、前記受信手段に着脱自在に設けられている。前記アンテナに第１のコネクタが設けられ、第２のコネクタが前記受信手段に設けられている。第１及び第２のコネクタは、アンテナが受信手段に装着された状態において互いに接続される。アンテナ内に第１切換手段が設けられている。第１の切換手段は、アンテナが受信手段に非装着状態においてアンテナを伝送線路に接続し、装着状態においてアンテナを第１のコネクタに接続する。前記受信手段に第２切換手段が設けられている。第２切換手段は、アンテナが受信手段に非装着状態において、受信手段を伝送線路に接続し、装着状態において、受信手段を第２のコネクタに接続する。
【００１３】
この構成によれば、アンテナを受信手段に装着していない状態では、伝送線路を介してアンテナの受信信号を受信手段に供給することができ、アンテナを受信手段に装着した状態では、伝送線路を介さずに第１及び第２のコネクタ並びに第１及び第２の切換手段を介してアンテナの受信信号を受信手段に供給することができる。従って、アンテナを受信手段に装着するという簡単な作業のみで、アンテナの受信信号の減衰を生じることなく、受信手段にアンテナの受信信号を供給することができる。
【００１４】
受信手段は、電源部を有するものにすることができる。この電源部は、第２切換手段と第１及び第２のコネクタとを介して、または第２切換手段と伝送線路とを介して、第１切換手段に電流を供給可能である。第１切換手段は、伝送線路と第１のコネクタとのうち電流が供給されている側にアンテナを接続する電気的切換手段であり、第２切換手段は、前記装着状態及び非装着状態に応じて機械的に切換動作する機械的切換手段である。第１の切換手段は、伝送線路または第１のコネクタに電圧が供給されているか否かを判定し、その結果に従って第１の切換手段を切り換える切換制御手段を有することが望ましい。
【００１５】
このように構成すると、受信手段にアンテナを装着すると、自動的に第１の切換手段が切り換えられる。しかも、この切換は電気的に行われているので、切換の応答性が速い。
【００１６】
第１及び第２の切換手段は、装着状態及び非装着状態に応じて機械的に切換操作される機械的切換手段とすることもできる。この場合、切換用の制御手段が不要となり、回路構成を簡略化することができる。例えば、第１の切換手段を外部から操作されたときにアンテナを第１のコネクタに接続するように第１の切換手段を構成し、前記装着状態において受信手段側に設けられた操作部によって上記操作が行われるように構成することができる。この場合、第２の切換手段は、装着状態における第１のコネクタと第２のコネクタとの接続によって受信手段を第２のコネクタに接続する同軸スイッチとすることが望ましい。或いは、第１の切換手段と第１のコネクタとによって同軸スイッチを構成し、第２の切換手段と第２のコネクタとによって同軸スイッチを構成することもできる。第１の切換手段は、第１のコネクタに別のコネクタが接続されていない状態でアンテナを伝送線路に接続し、第１のコネクタに別のコネクタが接続されている状態でアンテナを第１のコネクタに接続する。第２の切換手段は、第２のコネクタに別のコネクタが接続されていない状態で受信手段を伝送線路に接続し、第１のコネクタに別のコネクタが接続されている状態で受信手段を第２のコネクタに接続する。第１及び第２のコネクタにそれぞれ接続可能な中継コネクタを設け、これを介して第１及び第２のコネクタを接続して、前記装着状態とする。この中継コネクタによる接続を行わない状態で、前記非装着状態とする。なお、第２のコネクタと中継コネクタとを両者が非接続となるように付勢する弾性手段を介して中継コネクタを第２のコネクタに挿通しておき、中継コネクタを第１のコネクタに接続したとき、弾性手段の弾性力に抗して中継コネクタを第２のコネクタに接続するようにすることが望ましい。
【発明の効果】
【００１７】
以上のように、本発明による受信システムでは、受信手段にアンテナを接近させた状態では、伝送線路を介さずにアンテナの受信信号を受信手段に自動的に供給することができ、アンテナを伝送線路から外して受信手段に接続する必要がなく、接続作業を簡易化することができる。
【発明を実施するための最良の形態】
【００１８】
本発明の第１の実施形態の受信システムを図１及び図２を参照して説明する。この実施形態の受信システムは、デジタルラジオ放送を受信するものである。デジタルラジオ放送は、例えば２．３ＧＨｚ帯の電波を使用して、衛星から放送信号を送信し、衛星から放送信号を受信できない場合に備えて、ビルの屋上等の再送信局から、放送信号と同一内容でかつ同一周波数であり、一般的に異なる偏波で再送信放送信号を送信する。
【００１９】
この受信システムは、アンテナ２を有している。このアンテナ２は、図示していないが、例えば衛星から送信される電波を受信する衛星受信用アンテナと、再送信局から送信される電波を受信する再送信受信用アンテナとから構成されている。衛星からの電波と再送信局からの電波とは異なる偏波で送信されている場合、衛星受信用アンテナと再送信受信用アンテナとは、それぞれに対応する偏波の電波を受信するように構成されている。このアンテナ２はアンテナ本体部４内に収容されている。アンテナ本体部４内には、増幅手段、例えばローノイズアンプ６が設けられており、アンテナ２で受信された信号を増幅して出力する。
【００２０】
アンテナ本体部４内に、第１の切換手段、例えば切換スイッチ８が設けられている。この切換スイッチ８は、接触子８ａ、接点８ｂ、８ｃを有している。接触子８ａは、接点８ｂまたは８ｃに接続されるもので、ローノイズアンプ６の出力側に接続されている。接触子８ａの接続の切換は、アンテナ本体部４内に設けられた制御手段、例えば切換制御部１０によって行われる。接点８ｂは、アンテナ本体部４に設けられた第１のコネクタ、例えば同軸型の雄型接栓１２に接続されている。また接点８ｃは、伝送線路、例えば同軸ケーブル１４の一端に接続されている。切換制御部１０は、この接点８ｃに所定の電圧、例えば予め定めた値の直流電圧が供給されているか否かを判定し、供給されている場合には、接触子８ａを接点８ｃに接続し、供給されていない場合、接触子８ａを接点８ｂに接続する。この切換スイッチ８として、例えば高周波信号を切換伝送可能なリレー回路を使用することもできる。なお、アンテナ本体部４内には、この他に電源部１６も設けられている。この電源部１６は、後述するように接触子８ａに供給された電流を入力し、ローノイズブロックアンプ６及び切換制御部１０に動作電流を供給し、また、接触子８ａに供給されている電流が途絶えても、所定時間に渡って電流をローノイズアンプ６及び切換制御部１０に供給可能に構成されている。接触子８ａと電源部１６との間に高周波信号阻止回路が実際には設けられ、接触子８ａとローノイズアンプ６の出力側との間には実際には直流阻止回路が設けられているが、図１、図２では省略してある。
【００２１】
さらに、この受信システムは、受信手段、例えば受信機１８を有している。この受信機１８は、後述するようにして供給されたアンテナ２の受信信号を復調し、可聴周波数信号を生成する。この可聴周波数信号は、増幅手段、例えば可聴周波数増幅器（図示せず）によって増幅され、拡声手段、例えばスピーカ（図示せず）から拡声される。
【００２２】
この受信機１８は、受信機本体部２０内に収容されている。この本体部２０内には、第２の切換手段、例えば切換スイッチ２４も設けられている。この切換スイッチ２４は、接触子２４ａ、接点２４ｂ、２４ｃを有している。接触子２４ａが受信機１８の入力側に接続されている。また、接点２４ｂは、受信機本体部２０に設けられた第２のコネクタ、例えば雌型接栓２６に接続されている。また、接点２４ｃは、同軸ケーブル１４の他端に接続されている。この同軸ケーブル１４は、例えばアンテナ本体部４を窓際に設置した状態で、受信機本体部２０を屋内のアンテナ本体部４から離れた位置に設置可能な長さのものである。
【００２３】
雌型接栓２６は、雄型接栓１２と接続可能なものである。雌型接栓２６と切換スイッチ２４とは、いわゆる同軸スイッチによって構成され、雄型接栓１２を雌型接栓２６に接続していない状態、即ち非接続状態では、切換スイッチ２４の接触子２４ａは接点２４ｃに接続された状態を維持し、雄型接栓１２を雌型接栓２６に接続している状態、即ち接続状態では、接触子２４ａが接点２４ｂに接続される。
【００２４】
受信機本体部２０には、電源部２８も設けられている。この電源部２８は、例えば直流電流を切換スイッチ２４の接触子２４ａ、接点２４ｂ、雌型接栓２６、雄型接栓１２、切換スイッチ８の接点８ｂを介して、または切換スイッチ２４の接触子２４ａ、接点２４ｃ、同軸ケーブル１４、切換スイッチ８の接点８ｃを介して、切換スイッチ８の接触子８ａまで供給する。接触子８ａには、上述したように電源部１６が接続されており、受信機１８の電源部２８から供給された電流をローノイズアンプ６及び切換制御部１０に供給する。切換スイッチ２４の接触子２４ａと電源部２８との間には高周波信号阻止回路が実際には設けられ、切換スイッチ２４の接触子２４ａと受信機１８との間には実際には直流阻止回路が設けられているが、図１及び図２では省略してある。
【００２５】
アンテナ本体部４の雄型接栓１２を受信機本体部２０の雌型接栓に接続した状態では、アンテナ本体部４が受信機本体部２０に装着された装着状態となり、アンテナ本体部４は自立する。アンテナ本体部４の自立を補助するために、アンテナ本体部４を、受信機本体部２０に保持する保持手段を設けることもできる。また、その保持手段には、アンテナの方向調整機能を設けることもできる。
【００２６】
このように構成された受信システムでは、例えばアンテナ本体部４を窓際に配置し、受信機本体部２０を屋内のアンテナ本体部４から離れた位置（この位置にアンテナ本体部４を配置しても、良好に受信できない位置）に配置している非装着状態では、雄型接栓１２と雌型接栓２６とは非接続状態にある。従って、受信機本体部２０の切換スイッチ２４の接触子２４ａは接点２４ｃに接続され、電源部２８の直流電圧は、切換スイッチ２４の接触子２４ａ、接点２４ｃ、同軸ケーブル１４を介してアンテナ本体部４の切換スイッチ８の接触子８ｃに供給されている。この電圧を切換制御部１０が検出し、切換制御部１０は接触子８ａを接点８ｃに接続する。これによって、ローノイズアンプ６によって増幅されたアンテナ２からの受信信号は、切換スイッチ８、同軸ケーブル１４、切換スイッチ２４を介して受信機１８に供給され、復調される。
【００２７】
受信機本体部２０とアンテナ本体部４とが共に屋外に配置されている状態では、アンテナ２が良好に電波を受信できるように任意な位置に配置することが可能で、このとき、アンテナ本体部４の雄型接栓１２を受信機本体部２０の雌型接栓２６に接続することが可能である。この接続状態では、切換スイッチ２４の接触子２４ａが接点２４ｂに接続され、電源部２８からの直流電圧は、切換スイッチ２４の接触子２４ａ、接点２４ｂ、雌型接栓２６、雄型接栓１２、切換スイッチ８の接点８ｂに供給されている。その結果、切換スイッチ８の接点８ｃの電圧が零になるので、切換制御部１０が切換スイッチ８の接触子８ａを接点８ｂに接続する。これによって、雄型接栓１２に供給されていた電圧が切換スイッチ８の接点８ｂ、接触子８ａを介して電源部１６に供給され、ローノイズアンプ６、切換制御部１０は、その動作を継続し、ローノイズアンプ６からのアンテナ２での受信信号は、切換スイッチ８の接触子８ａ、接点８ｂ、雄型接栓１２、雌型接栓２６、切換スイッチ２４の接点２４ｂ、接触子２４ａを介して受信機１８に供給され、復調される。
【００２８】
このように雄型接栓１２と雌型接栓２６とが接続された状態では、同軸ケーブル１４を介さずに、雄型接栓１２と雌型接栓２６とを介して受信信号が受信機１８に供給される。従って、同軸ケーブル１４による受信信号の減衰は生じず、アンテナからの良好な信号を受信機に供給することができる。しかも、この同軸ケーブルを介さずに受信信号をアンテナ２から受信機１８に供給するために必要な作業は、雄型接栓１２を雌型接栓２６に接続するという作業だけであり、アンテナ２から同軸ケーブル１４を外すような作業が不要である。また、切換スイッチ８の切換は電子的に行われているので、その切換の応答性が速い。
【００２９】
本発明の第２の実施形態の受信システムを図３及び図４を参照しながら説明する。第１の実施の形態では第１の切換スイッチ８が電子切換スイッチであったのに対し、第２の実施形態の受信システムは、第１の切換スイッチ８０に機械的切換スイッチを使用している点で相違する。他の構成は、第１の実施の形態とほぼ同様であるので、同等部分には同一符号を付して、その説明を省略する。
【００３０】
第１の切換スイッチ８０は、接触子８０ａ、接点８０ｂ、８０ｃを有し、接触子８０ａがローノイズアンプ６の出力側及び電源部１６の入力側に接続されている。接点８０ｂが雄型接栓１２に接続され、接点８０ｃが同軸ケーブル１４に接続されている。この切換スイッチ８０は、さらに操作子８０ｄをアンテナ本体部４の外部に有し、この操作子８０ｄが操作されていない状態では接触子８０ａは接点８０ｃに接続されているが、操作子８０ｄをアンテナ本体部４内に押し込むように力が加えられると、接触子８０ａが接点８０ｂに接続される。この力が除去されると、接触子８０ａは接点８０ｃに接続された状態に自動的に復帰する。
【００３１】
雄型接栓１２を雌型接栓２６に接続した状態で、アンテナ本体部４を受信機本体部２０上に保持するために、２つの保持部８２が受信機本体部２０に設けられている。この保持部８２は、受信機本体部２０の雌型接栓２６が取り付けられている面と同じ面に幅方向に間隔をあけて取り付けられている。この間隔は、アンテナ本体部４の幅よりも狭くされている。これら保持部８２は弾性体製で、両者の間にアンテナ本体部４が挿通されることによって撓んで、アンテナ本体部４の両側を保持する。これら保持部８２は、雄型接栓１２を雌型接栓２６に接続した状態で、切換スイッチ８０の操作子８０ｄを幅方向両側から挟む位置に設けられている。これら保持部８２の間に上方に突出する突起部８４が形成されている。この突起部８４は、切換スイッチ８０の操作部８０ｄをアンテナ本体部４の内部に押し込むためのものである。
【００３２】
従って、受信機本体部２０にアンテナ本体部４が装着されていない非装着状態では、雄型接栓１２と雌型接栓２６とは接続されていない。その結果、切換スイッチ８０の接触子８０ａは接点８０ｃに接続され、切換スイッチ２４の接触子２４ａは接点２４ｃに接続されている。従って、受信機１８の電源部２８からの電流は切換スイッチ２４、同軸ケーブル１４、切換スイッチ８０を介してアンテナ本体部４内の電源部１６に供給され、ローノイズアンプ６が動作する。このローノイズアンプ６からのアンテナ２の受信信号は、切換スイッチ８０、同軸ケーブル１４、切換スイッチ２４を介して受信機１８に供給される。
【００３３】
受信機本体部２０にアンテナ本体部４０が装着されている装着状態では、雄型接点１２と雌型接栓２６とが接続されている。その結果、切換スイッチ２４の接触子２４ａは接点２４ｂに接続され、また切換スイッチ８０の接触子８０ａは接点８０ｂに接続されている。従って、受信機１８の電源部２８からの電流は切換スイッチ２４、雌型接栓２６、雄型接栓１２、切換スイッチ８０を介してアンテナ本体部４内の電源部１６に供給され、ローノイズアンプ６が動作する。このローノイズアンプ６からのアンテナ２の受信信号は、切換スイッチ８０、雄型接栓１２、雌型接栓２６、切換スイッチ２４を介して受信機１８に供給される。
【００３４】
この受信システムでは、第１の実施形態の受信システムと同様な効果を奏する上に、切換スイッチ８０も機械的に切り換えられるので、第１の実施形態の受信システムで使用している切換制御部１０が不要であり、アンテナ本体部４内の回路構成を簡略化することができるし、ローノイズアンプ６をアンテナ本体部４に設けていない場合には、電源部２８、１６を省略することもできる。
【００３５】
第３の実施の形態の受信システムを、図５、図６を参照しながら説明する。第１及び第２の実施の形態と同等部分には同一符号を付して、その説明を省略する。この実施の形態の受信システムでも、第２の実施の形態と同様にアンテナ本体部４には、機械的切換スイッチ８０が設けられている。但し、アンテナ本体部４には雌型接栓１２０が設けられ、この雌型接栓１２０と切換スイッチ８０とは同軸スイッチに構成されている。そして、雌型接栓１２０に雄型接栓が接続されていない状態では、図５に示すように接触子８０ａが接点８０ｃに接続され、雌型接栓１２０に雄型接栓が接続された状態では、図６に示すように接触子８０ａが接点８０ｂに接続される。
【００３６】
受信機本体部２０には、第１及び第２の実施の形態と同様に、切換スイッチ２４と雌型接栓２６とから構成されている同軸スイッチが設けられている。雌型接栓２６には、両端にそれぞれ雄型接栓１２２、１２４を有する中継コネクタ１２６のうち、雄型接栓１２２が弾性手段、例えばコイルバネ１２８を介して挿通されている。コイルバネ１２８は、中継コネクタ１２６に取り付けられている。コイルバネ１２８は、中継コネクタ１２６の重量によっては殆ど圧縮されないように選択されている。なお、雄型接栓１２２、１２４は互いに接続されている。雄型接栓１２４は、アンテナ本体部４の雌型接栓１２０と接続するためのものである。
【００３７】
アンテナ本体部４の雌型接栓１２０が雄型接栓１２４に接続されていない非装着状態では（図５参照）、コイルバネ１２８を介して雄型接栓１２２が雌型接栓２６に挿通されていないので、両者は完全に接続されて無く、切換スイッチ２４の接触子２４ａは接点２４ｃに接続されている。また、非装着状態では、アンテナ本体部４の雌型接栓１２０は雄型接栓１２４に接続されていないので、切換スイッチ８０の接触子８０ａは接点８０ｃに接続されている。従って、アンテナ本体部４のローノイズアンプ６の出力信号は、切換スイッチ８０、同軸ケーブル１４、切換スイッチ２４を介して受信機１８に供給されている。
【００３８】
アンテナ本体部４の雌型接栓１２０が雄型接栓１２４に接続され、かつコイルバネ１２８の弾性力に抗してこれを圧縮しながら雄型接栓１２２を雌型接栓２６に接続した装着状態（図６参照）では、受信機本体部２０の切換スイッチ２４の接触子２４ａが接点２４ｂに接続されている。装着状態では、アンテナ本体部４の重量によってコイルバネ１２８の圧縮状態は維持されている。また、アンテナ本体部の切換スイッチ８０の接触子８０ａは接点８０ｂに接続されている。従って、アンテナ本体部４のローノイズアンプ６の出力信号は、切換スイッチ８０、雌型接栓１２０、雄型接栓１２４、雄型接栓１２２、雌型接栓２６、切換スイッチ２４を介して受信機１８に供給される。
【００３９】
この受信システムでは、第１の実施形態の受信システムと同様な効果を奏する上に、切換スイッチ８０も機械的に切り換えられるので、第２の実施の形態の受信システムと同様な効果も奏する。さらに、通常市販されている同軸切換スイッチを切換スイッチ８０と雌型接栓１２０として使用しているので、第２の実施の形態の受信システムでは必要であった操作部８０ｄをアンテナ本体部４に設ける必要が無く、受信機本体部２０にも突起部８４を設ける必要が無く、アンテナ本体部４及び受信機本体部２０の構成をさらに簡略化することができる。
【００４０】
第１の実施の形態では、第１の切換スイッチ８を電気的に切り換えられる切換スイッチとし、第２の切換スイッチ２４を機械的に切り換えられるスイッチとしたが、逆に第１の切換スイッチを機械的に切り換えられる切換スイッチとし、第２の切換スイッチを電気的に切り換えられる切換スイッチとすることもできる。同様に、第２の実施の形態においては、第１の切換スイッチ８０を操作部８０ｄによって操作される切換スイッチとし、第２の切換スイッチ２４を雄型接栓１２と雌型接栓２６との接続に連動して切り換えられる切換スイッチとしたが、逆に第１の切換スイッチを雄型接栓と雌型接栓との接続に連動して切り換えられる切換スイッチとし、第２の切換スイッチを操作部の操作によって切り換えられる切換スイッチとしてもよい。この場合、雄型接栓１２が受信機本体部２０に、雌型接栓２６をアンテナ本体部４に設け、操作部を操作する突起部８４をアンテナ本体部４に設けることが望ましい。上記の各実施の形態では、ローノイズアンプ６を設けたが、場合によっては不要である。第１の実施の形態では、切換制御部１０は、接点８ｃに電圧が供給されているか否かを判定したが、これに代えて接点８ｂに電圧が供給されているか否かを判定することもできる。上記の各実施形態では、受信機１８は可聴周波数増幅器とスピーカとを備えるものとしたが、これに限ったものではなく、例えばスピーカを備えずに、適当なサウンドシステムに復調した可聴周波数信号を供給するように構成することもできる。
【００４１】
第３の実施の形態では、中継コネクタ１２６の雄型接栓１２２に弾性手段としてコイルバネ１２８を使用し、アンテナ本体部４の重量によってコイルバネ１２８の圧縮状態を維持するように構成したが、アンテナ本体部４の重量ではなく、コイルバネ１２８の弾性力によって抜けない程度の脱着可能なストッパー機構を雄型接栓１２２に設けることもできる。また、雄型接栓１２２に弾性手段としてコイルバネ１２８を設けたが、雄型接栓１２４側に弾性手段を設けることもできる。また雌型接栓２６または雌型接栓１２０に設けても同様な効果が得られる。弾性手段としてのコイルバネ１２８をどこに設けるかによって、中継コネクタ１２６は、受信機本体部２０に設けることもできるし、アンテナ本体部４に設けることもできる。
【図面の簡単な説明】
【００４２】
【図１】本発明の第１の実施の形態の受信システムにおいてアンテナ本体部と受信機本体部とが分離されている状態でのブロック図である。
【図２】図１の受信システムにおいてアンテナ本体部が受信機本体部に装着されている状態でのブロック図である。
【図３】本発明の第２の実施の形態の受信システムにおいてアンテナ本体部と受信機本体部とが分離されている状態での正面図である。
【図４】図３の受信システムにおいてアンテナ本体部が受信機本体部に装着されている状態の側面図である。
【図５】本発明の第３の実施の形態の受信システムにおいてアンテナ本体部と受信機本体部とが分離されている状態での正面図である。
【図６】図５の受信システムにおいてアンテナ本体部が受信機本体部に装着されている状態の正面図である。
【符号の説明】
【００４３】
２  アンテナ
８  ８０  切換スイッチ（第１の切換手段）
１２  雄型接栓（第１のコネクタ）
１４  同軸ケーブル（伝送線路）
１８  受信機（受信手段）
２４  切換スイッチ（第２の切換手段）
２６  雌型接栓（第２のコネクタ）
【図１】
2005192121.tif 000003
【図２】
2005192121.tif 000004
【図３】
2005192121.tif 000005
【図４】
2005192121.tif 000006
【図５】
2005192121.tif 000007
【図６】
2005192121.tif 000008